(57)【特許請求の範囲】
【請求項１】
ユーザ端末から投稿された情報である投稿情報と、当該投稿情報を投稿したユーザを識別するためのユーザ識別子と、当該投稿情報が投稿された際の前記ユーザ端末の位置を示す位置情報とを対応付けて記憶する投稿情報記憶手段と、
地図の画像である地図画像と、地図上の位置を示す位置情報とを対応付けて記憶する地図情報記憶手段と、
前記ユーザ識別子と、前記ユーザの連絡先を含むプロフィール情報とを対応付けて記憶するプロフィール情報記憶手段と、
前記投稿情報の閲覧を要求するユーザ端末から、位置を示す位置情報を受信する位置情報受信手段と、
前記位置情報受信手段によって受信された位置情報に対応する投稿情報およびユーザ識別子を前記投稿情報記憶手段から選択する際に、前記位置情報受信手段によって受信された位置情報と前記投稿情報の閲覧を要求するユーザ端末のユーザのプロフィール情報に含まれる位置情報とを比較し、両者の距離が近いほど多数の前記位置情報に対応する投稿情報およびユーザ識別子を選択する投稿情報選択手段と、
前記位置情報受信手段によって受信された位置情報に対応する地図画像を前記地図情報記憶手段から取得する地図情報取得手段と、
前記投稿情報選択手段によって選択されたユーザ識別子に対応するユーザのプロフィール情報を前記プロフィール情報記憶手段から取得するプロフィール取得手段と、
前記地図情報取得手段によって取得された地図画像に、前記投稿情報取得手段によって取得された投稿情報が付加された画像である投稿地図画像を生成する投稿地図生成手段と、
前記投稿地図生成手段によって生成された投稿地図画像を前記投稿情報の閲覧を要求するユーザ端末に送信する投稿地図送信手段と、
前記投稿地図送信手段によって送信された投稿地図画像上の所定の投稿情報が前記ユーザ端末によって指定された場合には、当該投稿情報を投稿したユーザのプロフィール情報を前記ユーザ端末に送信するプロフィール送信手段と
を備えることを特徴とする投稿情報管理装置。
【請求項２】
前記位置情報受信手段は、前記ユーザ端末から現在の位置情報を受信し、
前記投稿情報選択手段は、前記位置情報受信手段によって受信された現在の位置情報に対応する投稿情報およびユーザ識別子を前記投稿情報記憶手段から選択する際に、前記位置情報受信手段によって受信された現在の位置情報と前記投稿情報の閲覧を要求するユーザ端末のユーザのプロフィール情報に含まれる位置情報とを比較し、両者の距離が近いほど多数の前記現在の位置情報に対応する投稿情報およびユーザ識別子を選択することを特徴とする請求項１に記載の投稿情報管理装置。
【請求項３】
前記位置情報受信手段は、前記ユーザ端末から過去の位置情報を受信し、
前記投稿情報選択手段は、前記位置情報受信手段によって受信された過去の位置情報に対応する投稿情報およびユーザ識別子を前記投稿情報記憶手段から選択する際に、前記位置情報受信手段によって受信された過去の位置情報と前記投稿情報の閲覧を要求するユーザ端末のユーザのプロフィール情報に含まれる位置情報とを比較し、両者の距離が近いほど多数の前記過去の位置情報に対応する投稿情報およびユーザ識別子を選択することを特徴とする請求項１に記載の投稿情報管理装置。
【請求項４】
前記ユーザ端末から受信した位置情報を記憶する記憶手段をさらに備え、
前記投稿情報選択手段は、前記記憶手段によって記憶された過去の位置情報に対応する投稿情報およびユーザ識別子を前記投稿情報記憶手段から選択する際に、前記記憶手段によって記憶された過去の位置情報と前記投稿情報の閲覧を要求するユーザ端末のユーザのプロフィール情報に含まれる位置情報とを比較し、両者の距離が近いほど多数の前記過去の位置情報に対応する投稿情報およびユーザ識別子を選択することを特徴とする請求項１に記載の投稿情報管理装置。
【請求項５】
前記位置情報受信手段は、前記ユーザ端末から位置情報を含むユーザのスケジュール情報を受信し、
前記投稿情報選択手段は、前記位置情報受信手段によって受信されたスケジュール情報に含まれる位置情報に対応する投稿情報およびユーザ識別子を前記投稿情報記憶手段から選択する際に、前記位置情報受信手段によって受信されたスケジュール情報に含まれる位置情報と前記投稿情報の閲覧を要求するユーザ端末のユーザのプロフィール情報に含まれる位置情報とを比較し、両者の距離が近いほど多数の前記スケジュール情報に含まれる位置情報に対応する投稿情報およびユーザ識別子を選択することを特徴とする請求項１に記載の投稿情報管理装置。
【請求項６】
前記投稿情報記憶手段は、前記投稿情報と、前記ユーザ識別子と、前記位置情報とともに、当該投稿情報が投稿された時間情報を対応付けて記憶し、
前記位置情報受信手段は、前記位置情報とともに、時間を示す時間情報を受信し、
前記投稿地図出力手段は、前記位置情報受信手段によって受信された位置情報および時間情報に対応する投稿情報およびユーザ識別子を前記投稿情報記憶手段から選択する際に、前記位置情報受信手段によって受信された位置情報と前記投稿情報の閲覧を要求するユーザ端末のユーザのプロフィール情報に含まれる位置情報とを比較し、両者の距離が近いほど多数の前記位置情報および前記時間情報に対応する投稿情報およびユーザ識別子を選択することを特徴とする請求項１に記載の投稿情報管理装置。
【請求項７】
前記投稿情報選択手段は、前記位置情報受信手段によって受信された位置情報と、前記プロフィール情報に含まれる位置情報として、住所、勤務地及び出身地のいずれか一つまたは複数とを比較し、両者の距離が近いほど多数の前記位置情報に対応する投稿情報およびユーザ識別子を前記投稿情報記憶手段から選択することを特徴とする請求項１〜５のいずれか一つに記載の投稿情報管理装置。
【請求項８】
コンピュータを制御し、ユーザ端末から投稿された情報である投稿情報を管理する投稿情報管理方法において、
前記投稿情報の閲覧を要求するユーザ端末から、位置を示す位置情報を受信する位置情報受信手順と、
前記受信された位置情報に対応する投稿情報と当該投稿情報を投稿したユーザを識別するためのユーザ識別子とを、前記投稿情報と当該投稿情報を投稿したユーザのユーザ識別子と当該投稿情報が投稿された際の前記ユーザ端末の位置を示す位置情報とを対応付けて記憶する投稿情報記憶手段から選択する際に、前記位置情報受信手順によって受信された位置情報と前記投稿情報の閲覧を要求するユーザ端末のユーザのプロフィール情報に含まれる位置情報とを比較し、両者の距離が近いほど多数の前記位置情報に対応する投稿情報およびユーザ識別子を選択する投稿情報選択手順と、
前記受信された位置情報に対応する地図画像を、地図画像と地図上の位置を示す位置情報とを対応付けて記憶する地図情報記憶手段から取得する地図情報取得手順と、
前記選択されたユーザ識別子に対応するユーザの連絡先を含むプロフィール情報を、前記ユーザ識別子と前記プロフィール情報とを対応付けて記憶するプロフィール情報記憶手段から取得するプロフィール取得手順と、
前記取得された地図画像に、前記投稿情報取得手段によって取得された投稿情報が付加された画像である投稿地図画像を生成する投稿地図生成手順と、
前記生成された投稿地図画像を前記投稿情報の閲覧を要求するユーザ端末に送信する投稿地図送信手順と、
前記送信された投稿地図画像上の所定の投稿情報が前記ユーザ端末によって指定された場合には、当該投稿情報を投稿したユーザのプロフィール情報を前記ユーザ端末に送信するプロフィール送信手順と
を含むことを特徴とする投稿情報管理方法。
【請求項９】
ユーザ端末から投稿された情報である投稿情報を管理する処理をコンピュータに実行させる投稿情報管理プログラムにおいて、
前記投稿情報の閲覧を要求するユーザ端末から、位置を示す位置情報を受信し、
前記受信された位置情報に対応する投稿情報と当該投稿情報を投稿したユーザを識別するためのユーザ識別子とを、前記投稿情報と当該投稿情報を投稿したユーザのユーザ識別子と当該投稿情報が投稿された際の前記ユーザ端末の位置を示す位置情報とを対応付けて記憶する投稿情報記憶手段から選択する際に、前記受信された位置情報と前記投稿情報の閲覧を要求するユーザ端末のユーザのプロフィール情報に含まれる位置情報とを比較し、両者の距離が近いほど多数の前記位置情報に対応する投稿情報およびユーザ識別子を選択し、
前記受信された位置情報に対応する地図画像を、地図画像と地図上の位置を示す位置情報とを対応付けて記憶する前記地図情報記憶手段から取得し、
前記選択されたユーザ識別子に対応するユーザの連絡先を含むプロフィール情報を、前記ユーザ識別子と前記プロフィール情報とを対応付けて記憶するプロフィール情報記憶手段から取得し、
前記取得された地図画像に、前記投稿情報取得手段によって取得された投稿情報が付加された画像である投稿地図画像を生成し、
前記生成された投稿地図画像を前記投稿情報の閲覧を要求するユーザ端末に送信し、
前記送信された投稿地図画像上の所定の投稿情報が前記ユーザ端末によって指定された場合には、当該投稿情報を投稿したユーザのプロフィール情報を前記ユーザ端末に送信する処理をコンピュータに実行させることを特徴とする投稿情報管理プログラム。
【発明の詳細な説明】
【技術分野】
【０００１】
本発明は、投稿情報管理装置、投稿情報管理方法、投稿情報管理プログラムに関する。
【背景技術】
【０００２】
従来、インターネットにおいては、例えばソーシャルネットワーキングサービス（以下、ＳＮＳ：Social  Network  Service）などのように、各ユーザが記事や写真といったコンテンツを投稿し、他ユーザに開示することができる場を提供するサービスが知られている。
【０００３】
これらのサービスは、一般にＣＧＭ（Consumer  Generated  Media）とも呼ばれ、コンテンツを作成したユーザから他ユーザへの情報発信のツールとしてだけでなく、ユーザ間のコミュニケーションのツールとしても利用されている。例えば、ユーザが投稿した記事に対して、その記事を閲覧したユーザがコメントを付記することで、記事を媒介としてユーザ間でコミュニケーションが図られる、というものである。
【０００４】
また、最近では、時間軸でのメッセージの送信傾向（例えば、投稿の頻度やメッセージの発生の頻度）を分析し、その分析結果に応じて、将来コミュニケーションをとる可能性の高い未知のユーザ同士のマッチングを提案する技術が知られている（例えば、特許文献１参照）。
【先行技術文献】
【特許文献】
【０００５】
【特許文献１】特開２０１０−１７６２６３号公報
【発明の概要】
【発明が解決しようとする課題】
【０００６】
しかしながら、上述した従来の手法では、投稿の頻度やメッセージの発生の頻度に応じて、ユーザ間のマッチングを提案するので、ユーザの実生活での行動などと関係なくマッチングが行われる。このため、提案されたマッチングそのものをユーザが気に入らない場合には、ユーザ同士のコミュニケーションの活性化に寄与しないという課題があった。
【０００７】
本発明は、上述のような従来技術の課題を解決するためになされたものであり、その目的は、ユーザの実際の行動に関連させて、ユーザ同士のコミュニケーションの活性化を図ることである。
【課題を解決するための手段】
【０００８】
上記の目的を踏まえ、本発明の一態様（１）は、投稿情報管理装置において、ユーザ端末から投稿された情報である投稿情報と、当該投稿情報を投稿したユーザを識別するためのユーザ識別子と、当該投稿情報が投稿された際の前記ユーザ端末の位置を示す位置情報とを対応付けて記憶する投稿情報記憶手段と、地図の画像である地図画像と、地図上の位置を示す位置情報とを対応付けて記憶する地図情報記憶手段と、前記ユーザ識別子と、前記ユーザの連絡先を含むプロフィール情報とを対応付けて記憶するプロフィール情報記憶手段と、前記投稿情報の閲覧を要求するユーザ端末から、位置を示す位置情報を受信する位置情報受信手段と、前記位置情報受信手段によって受信された位置情報に対応する投稿情報およびユーザ識別子を前記投稿情報記憶手段から選択する投稿情報選択手段と、前記位置情報受信手段によって受信された位置情報に対応する地図画像を前記地図情報記憶手段から取得する地図情報取得手段と、前記投稿情報選択手段によって選択されたユーザ識別子に対応するユーザのプロフィール情報を前記プロフィール情報記憶手段から取得するプロフィール取得手段と、前記地図情報取得手段によって取得された地図画像に、前記投稿情報取得手段によって取得された投稿情報が付加された画像である投稿地図画像を生成する投稿地図生成手段と、前記投稿地図生成手段によって生成された投稿地図画像を前記投稿情報の閲覧を要求するユーザ端末に送信する投稿地図送信手段と、前記投稿地図送信手段によって送信された投稿地図画像上の所定の投稿情報が前記ユーザ端末によって指定された場合には、当該投稿情報を投稿したユーザのプロフィール情報を前記ユーザ端末に送信するプロフィール送信手段とを備えることを特徴とする。
【０００９】
上記態様（１）を方法という見方から捉えた本発明の一態様（８）は、コンピュータを制御し、ユーザ端末から投稿された情報である投稿情報を管理する投稿情報管理方法において、前記投稿情報の閲覧を要求するユーザ端末から、位置を示す位置情報を受信する位置情報受信手順と、前記受信された位置情報に対応する投稿情報と当該投稿情報を投稿したユーザを識別するためのユーザ識別子とを、前記投稿情報と当該投稿情報を投稿したユーザのユーザ識別子と当該投稿情報が投稿された際の前記ユーザ端末の位置を示す位置情報とを対応付けて記憶する投稿情報記憶手段から選択する投稿情報選択手順と、前記受信された位置情報に対応する地図画像を、地図画像と地図上の位置を示す位置情報とを対応付けて記憶する地図情報記憶手段から取得する地図情報取得手順と、前記選択されたユーザ識別子に対応するユーザの連絡先を含むプロフィール情報を、前記ユーザ識別子と前記プロフィール情報とを対応付けて記憶するプロフィール情報記憶手段から取得するプロフィール取得手順と、前記取得された地図画像に、前記投稿情報取得手段によって取得された投稿情報が付加された画像である投稿地図画像を生成する投稿地図生成手順と、前記生成された投稿地図画像を前記投稿情報の閲覧を要求するユーザ端末に送信する投稿地図送信手順と、前記送信された投稿地図画像上の所定の投稿情報が前記ユーザ端末によって指定された場合には、当該投稿情報を投稿したユーザのプロフィール情報を前記ユーザ端末に送信するプロフィール送信手順とを含むことを特徴とする。
【００１０】
上記態様（１）をコンピュータ・プログラムという見方から捉えた本発明の一態様（９）は、ユーザ端末から投稿された情報である投稿情報を管理する処理をコンピュータに実行させる投稿情報管理プログラムにおいて、前記投稿情報の閲覧を要求するユーザ端末から、位置を示す位置情報を受信し、前記受信された位置情報に対応する投稿情報と当該投稿情報を投稿したユーザを識別するためのユーザ識別子とを、前記投稿情報と当該投稿情報を投稿したユーザのユーザ識別子と当該投稿情報が投稿された際の前記ユーザ端末の位置を示す位置情報とを対応付けて記憶する投稿情報記憶手段から選択し、前記受信された位置情報に対応する地図画像を、地図画像と地図上の位置を示す位置情報とを対応付けて記憶する前記地図情報記憶手段から取得する地図情報取得手順と、前記選択されたユーザ識別子に対応するユーザの連絡先を含むプロフィール情報を、前記ユーザ識別子と前記プロフィール情報とを対応付けて記憶するプロフィール情報記憶手段から取得し、前記取得された地図画像に、前記投稿情報取得手段によって取得された投稿情報が付加された画像である投稿地図画像を生成する投稿地図生成手順と、前記生成された投稿地図画像を前記投稿情報の閲覧を要求するユーザ端末に送信し、前記送信された投稿地図画像上の所定の投稿情報が前記ユーザ端末によって指定された場合には、当該投稿情報を投稿したユーザのプロフィール情報を前記ユーザ端末に送信する処理をコンピュータに実行させることを特徴とする。
【００１１】
この発明によれば、投稿ユーザが実際に行動した位置に対応付けて投稿情報を地図上に表示させ、閲覧ユーザに投稿情報とともに投稿ユーザの連絡先を含むプロフィールを提示するので、現実世界でのユーザ行動に関連付けてユーザのプロフィールを提示することができ、ユーザにとって興味の対象である場所や結びつきのある場所を介して他のユーザとのマッチング機会を提供することができる結果、ユーザ同士のコミュニケーションを活性化させることができる。
【００１２】
本発明の他の態様（２）は、上記のいずれかの態様において、前記位置情報受信手段は、前記ユーザ端末から現在の位置情報を受信し、前記投稿情報選択手段は、前記位置情報受信手段によって受信された現在の位置情報に対応する投稿情報およびユーザ識別子を前記投稿情報記憶手段から選択することを特徴とする。
【００１３】
この発明によれば、閲覧ユーザの現在位置に対応する投稿地図画像のみを提示するので、閲覧ユーザが現在いる場所と同一の場所に訪れた投稿ユーザの存在を閲覧ユーザに認識させることができ、ユーザが現実に行動している場所を介して他のユーザとのマッチング機会を提供することができる。その結果、現実の行動に密着したユーザ同士のコミュニケーションの構築を支援し、より現実の感覚に近いものとして活性化させることができる。また、閲覧ユーザが現在いない場所の投稿情報は表示されず、閲覧ユーザは実際の場所に行かないと投稿情報を得られない結果、投稿情報の希少価値を高めることができる。
【００１４】
本発明の他の態様（３）は、上記のいずれかの態様において、前記位置情報受信手段は、前記ユーザ端末から過去の位置情報を受信し、前記投稿情報選択手段は、前記位置情報受信手段によって受信された過去の位置情報に対応する投稿情報およびユーザ識別子を前記投稿情報記憶手段から選択することを特徴とする。
【００１５】
この発明によれば、閲覧ユーザが過去に居た場所に対応する投稿情報のみを提示するので、閲覧ユーザが過去にいたことのある場所と同一の場所に訪れた投稿ユーザの存在を閲覧ユーザに認識させることができ、ユーザが実際に過去に行動している場所を介して他のユーザとのマッチング機会を提供することができる。その結果、ユーザ同士のコミュニケーションの構築を支援し、より現実の感覚に近いものとして活性化させることができる。また、閲覧ユーザが過去にいなかった場所の投稿情報は表示されず、閲覧ユーザは実際の場所に行かないと投稿情報を得られない結果、投稿情報の希少価値を高めることができる。
【００１６】
本発明の他の態様（４）は、上記のいずれかの態様において、前記ユーザ端末から受信した位置情報を記憶する記憶手段をさらに備え、前記投稿情報選択手段は、前記記憶手段によって記憶された過去の位置情報に対応する投稿情報およびユーザ識別子を前記投稿情報記憶手段から選択することを特徴とする。
【００１７】
この発明によれば、閲覧ユーザが過去に居た場所に対応する投稿情報のみを提示するので、閲覧ユーザが過去にいたことのある場所と同一の場所に訪れた投稿ユーザの存在を閲覧ユーザに認識させることができ、ユーザが実際に過去に行動している場所を介して他のユーザとのマッチング機会を提供することができる。その結果、ユーザ同士のコミュニケーションの構築を支援し、より現実の感覚に近いものとして活性化させることができる。また、閲覧ユーザが過去にいなかった場所の投稿情報は表示されず、閲覧ユーザは実際の場所に行かないと投稿情報を得られない結果、投稿情報の希少価値を高めることができる。また、投稿情報管理装置が位置情報の履歴を記憶するので、ユーザ端末が位置情報の履歴を管理する負担が軽減する。
【００１８】
本発明の他の態様（５）は、上記のいずれかの態様において、前記位置情報受信手段は、前記ユーザ端末から位置情報を含むユーザのスケジュール情報を受信し、前記投稿情報選択手段は、前記位置情報受信手段によって受信されたスケジュール情報に含まれる位置情報に対応する投稿情報およびユーザ識別子を前記投稿情報記憶手段から選択することを特徴とする。
【００１９】
この発明によれば、閲覧ユーザが行く予定の場所に対応する投稿地図画像のみを提示するので、閲覧ユーザが今後訪れることを予定している場所と同一の場所に訪れた投稿ユーザの存在を閲覧ユーザに認識させることができ、ユーザが行動を予定している場所を介して他のユーザとのマッチング機会を提供することができる。その結果、ユーザ同士のコミュニケーションの構築を支援し、より現実の感覚に近いものとして活性化させることができる。また、閲覧ユーザが将来行く場所の投稿情報しか表示されず、今後訪れる予定のある場所でないと投稿情報を得られない結果、投稿情報の希少価値を高めることができる。
【００２０】
本発明の他の態様（６）は、上記のいずれかの態様において、前記投稿情報記憶手段は、前記投稿情報と、前記ユーザ識別子と、前記位置情報とともに、当該投稿情報が投稿された時間情報を対応付けて記憶し、前記位置情報受信手段は、前記位置情報とともに、時間を示す時間情報を受信し、前記投稿地図出力手段は、前記位置情報受信手段によって受信された位置情報および時間情報に対応する投稿情報およびユーザ識別子を前記投稿情報記憶手段から選択することを特徴とする。
【００２１】
この発明によれば、例えば、閲覧ユーザが閲覧を要求した時間帯と同じ時間帯に投稿された投稿情報を提示するので、閲覧ユーザが訪れた場所と同一の場所であって、さらに、閲覧ユーザが訪れた時間と同一の時間に訪れた投稿ユーザの存在を閲覧ユーザに認識させることができ、ユーザが行動した場所及び時間を介して他のユーザとのマッチング機会を提供することができる。その結果、ユーザ同士のコミュニケーションの構築を支援し、より現実の感覚に近いものとして活性化させることができる。また、例えば、閲覧ユーザが閲覧する時間帯と合わない投稿情報は表示されず、閲覧ユーザは投稿ユーザと時間帯が合わなければ投稿情報を得られない結果、投稿情報の希少価値を高めることができる。
【００２２】
本発明の他の態様（７）は、上記のいずれかの態様において、前記投稿情報選択手段は、前記位置情報受信手段によって受信された位置情報と前記投稿情報の閲覧を要求するユーザ端末のユーザのプロフィール情報に含まれる住所、勤務地及び出身地のいずれか一つまたは複数との関係に応じて、当該位置情報に対応する投稿情報およびユーザ識別子を前記投稿情報記憶手段から選択することを特徴とする。
【００２３】
この発明によれば、例えば、位置情報が閲覧ユーザの通勤路であって結びつきが強い場合には、投稿情報を多く選択し、一方、位置情報が閲覧ユーザの通勤路などではなく結びつきが弱い場合には、投稿情報を少なく選択することで、ユーザ同士のコミュニケーションの活性化に貢献する度合いが高い閲覧ユーザほど投稿情報を多く受信することができ、ユーザ同士のコミュニケーションを活性化させることができる。
【発明の効果】
【００２４】
本発明によれば、ユーザ同士のコミュニケーションを活性化させることができるという効果を奏する。
【図面の簡単な説明】
【００２５】
【図１】図１は、本発明の一実施形態の投稿情報管理手法の概要図である。
【図２】図２は、実施例１にかかる投稿情報管理装置の構成図である。
【図３】図３は、投稿情報の一例を示す図である。
【図４】図４は、プロフィール情報の一例を示す図である。
【図５】図５は、友達リストの一例を示す図である。
【図６】図６は、投稿する際の画像の一例を示す図である。
【図７】図７は、ユーザ端末の画面遷移の一例を説明する図である。
【図８】図８は、メールフォームの表示例を示す図である。
【図９】図９は、受信メールの表示画面の表示例を示す図である。
【図１０】図１０は、図２に示す投稿情報管理装置の処理手順を示すフローチャートである。
【図１１】図１１は、閲覧ユーザの現在地に応じて、投稿地図画像を表示する例を説明する図である。
【図１２】図１２は、閲覧ユーザの履歴情報に応じて、投稿地図画像を表示する例を説明する図である。
【図１３】図１３は、閲覧ユーザのスケジュール情報に応じて、投稿地図画像を表示する例を説明する図である。
【図１４】図１４は、投稿時刻を含む投稿情報の一例を示す図である。
【図１５】図１５は、閲覧ユーザと地図上の位置との結びつきの強さに応じて表示する投稿地図画像が変化する例を示す図である。
【発明を実施するための形態】
【００２６】
本発明を実施するための形態（以下、「実施形態」と呼ぶ。）について、図面を参照しつつ詳細に説明する。なお、以下では、本発明に係る一実施形態の概要を説明した後に、本発明に係る実施例を説明する。
【００２７】
最初に、図１を用いて、本発明に係る一実施形態の投稿情報管理手法の概要について説明する。図１は、本発明の一実施形態の投稿情報管理手法の概要図である。図１に示すように、投稿情報管理装置１は、投稿情報ＤＢ（Date  Base）２、地図情報ＤＢ３、およびプロフィール情報ＤＢ４を備えている。投稿情報ＤＢ２は、ユーザ端末から投稿された情報である投稿情報と、投稿情報を投稿したユーザ（以下、投稿ユーザという）を一意に識別するためのユーザＩＤと、当該投稿情報が投稿された際のユーザ端末の位置を示す位置情報とを対応付けて記憶する。地図情報ＤＢ３は、地図の画像である地図画像と、地図上の位置を示す位置情報とを対応付けて記憶する。プロフィール情報ＤＢ４は、ユーザＩＤと、ユーザの連絡先を含むプロフィール情報とを対応付けて記憶する。
【００２８】
投稿情報管理装置１は、投稿情報の閲覧を要求するユーザ（以下、閲覧ユーザという）のユーザ端末５から、位置を示す位置情報を受信する。そして、投稿情報管理装置１は、受信された位置情報に対応する投稿情報およびユーザＩＤを投稿情報ＤＢ２から選択する。図１の例を挙げて説明すると、投稿情報管理装置１は、ユーザ端末５から位置情報として、現在の位置情報である位置「麻布十番」（具体的には、麻布十番に対応するＧＰＳ（Global  Positioning  System）情報など）を受信し、位置「麻布十番」に対応する投稿情報を投稿情報ＤＢ２から選択する。なお、ユーザ端末５から受信する位置情報は、現在の位置に限らず、ユーザに指定された任意の位置などでもよい。
【００２９】
そして、投稿情報管理装置１は、受信された位置情報に対応する地図画像を地図情報ＤＢ３から取得する。例えば、投稿情報管理装置１は、図１の例では、「麻布十番」周辺の地図画像を地図情報ＤＢ３から取得する。続いて、投稿情報管理装置１は、選択したユーザＩＤに対応するユーザのプロフィール情報をプロフィール情報ＤＢ４から取得する。例えば、投稿情報管理装置１は、図１の例では、選択したユーザＩＤ「００１」に対応するユーザのプロフィール情報をプロフィール情報ＤＢ４から取得する。
【００３０】
そして、投稿情報管理装置１は、取得された地図画像に、投稿情報が付加された画像である投稿地図画像を生成し、生成された投稿地図画像を投稿情報の閲覧を要求するユーザ端末５に送信する。図１に示すように、ユーザ端末５のディスプレイに、地図画像に投稿情報が付加された画像が表示されている。ここで、ユーザ端末５のディスプレイに表示される投稿地図画像について具体的に説明する。図１に示すように、ユーザ端末５のディスプレイにおいて、画面左上に「お気に入りみっけを表示」と表示され、また、地図上にハートマークが５つ表示されている。「お気に入りみっけを表示」とは、投稿ユーザが気に入ったお店やスポットについて投稿した画像を表示していることを示している。また、地図上に表示されたハートは、投稿者が地図上におけるハートの位置に存在するお店やスポットに関する投稿情報のアイコンである。
【００３１】
その後、投稿情報管理装置１は、送信された投稿地図画像上の所定の投稿情報がユーザ端末５によって指定された場合には、投稿ユーザのプロフィール情報をユーザ端末５に送信する。例えば、ユーザ端末５のディスプレイに表示されたハートが投稿地図画像を閲覧している閲覧ユーザにタップされると、タップされたハートに対応する投稿情報を投稿した投稿ユーザのユーザＩＤ「００１」がユーザ端末５から投稿情報管理装置１に送信される。そして、投稿情報管理装置１は、送信されたユーザＩＤ「００１」に対応するプロフィール情報をユーザ端末５に送信する。その後、閲覧ユーザが、プロフィール情報に含まれる投稿ユーザの連絡先に連絡することで、投稿ユーザに対してコミュニケーションを図ることができる。
【００３２】
このように、投稿情報管理装置１は、投稿情報の閲覧を要求するユーザ端末５から、位置を示す位置情報を受信し、受信された位置情報に対応する投稿情報およびユーザＩＤを投稿情報ＤＢ２から選択する。そして、投稿情報管理装置１は、受信された位置情報に対応する地図画像を地図情報ＤＢ３から取得し、選択されたユーザＩＤに対応するユーザのプロフィール情報をプロフィール情報ＤＢ４から取得する。そして、投稿情報管理装置１は、取得された地図画像に、投稿情報が付加された画像である投稿地図画像を生成し、生成された投稿地図画像を投稿情報の閲覧を要求するユーザ端末５に送信する。その後、投稿情報管理装置１は、送信された投稿地図画像上の所定の投稿情報がユーザ端末５によって指定された場合には、投稿情報を投稿したユーザのプロフィール情報をユーザ端末５に送信する。
【００３３】
このため、投稿情報管理装置１は、投稿ユーザが実際に行動した位置に対応付けて投稿情報を地図上に表示させ、閲覧ユーザに投稿情報とともに投稿ユーザの連絡先を含むプロフィールを提示するので、現実世界でのユーザ行動に関連付けてユーザのプロフィールを提示することができ、ユーザにとって興味の対象である場所や結びつきのある場所を介して他のユーザとのマッチング機会を提供することができる結果、ユーザ同士のコミュニケーションを活性化させることができる。
【実施例１】
【００３４】
以下の実施例１では、実施例１に係る投稿情報管理装置１０の構成および処理の流れを順に説明し、最後に実施例１による効果を説明する。なお、実施例１では、投稿情報管理装置１０に投稿情報が登録されており、閲覧ユーザが閲覧先の位置情報を任意に指定して投稿情報を閲覧する場合を説明する。
【００３５】
［投稿情報管理装置の構成］
図２を用いて、実施例に係る投稿情報管理装置１０の構成を説明する。図２は、実施例１にかかる投稿情報管理装置の構成図である。同図に示すように、この投稿情報管理装置１０は、通信Ｉ／Ｆ（インターフェース）１１、記憶部１２、制御部１３を備え、携帯電話網などのネットワークを介して複数のユーザ端末２０Ａ〜２０Ｚと接続される。以下にこれらの各部の処理を説明する。なお、複数のユーザ端末２０Ａ〜２０Ｚの各装置について、各装置を区別無く総称する場合には、「ユーザ端末２０」と記載する。ユーザ端末２０は、少なくとも携帯電話網や無線ＬＡＮに接続できる無線通信機能を備えたコンピュータであり、例えば、ＧＰＳ機能付きの携帯電話装置が該当する。以下では、ユーザ端末２０は、投稿情報を投稿する投稿ユーザ、および／または、投稿情報を閲覧する閲覧ユーザによって所有される端末として説明する。また、以下では、ユーザ端末２０のディスプレイがタッチパネルである場合を例として説明する。
【００３６】
通信Ｉ／Ｆ１１は、接続される複数のユーザ端末２０Ａ〜２０Ｚとの間でやり取りする各種情報に関する通信を制御する。例えば、通信Ｉ／Ｆ１１は、複数のユーザ端末２０Ａ〜２０Ｚから投稿情報を受信したり、投稿情報の閲覧要求を受信したり、投稿地図画像やプロフィール情報をユーザ端末２０に送信したりする。なお、通信Ｉ／Ｆ１１は、例えばＬＡＮカード等のネットワークインターフェースカード、モデム等を含む。
【００３７】
記憶部１２は、制御部１３による各種処理に必要なデータおよびプログラムを格納する。例えば、投稿情報ＤＢ１２ａ、地図情報ＤＢ１２ｂ、プロフィール情報ＤＢ１２ｃ、友達リストＤＢ１２ｄを記憶する。なお、記憶部１２は、ＲＡＭ（Random  Access  Memory）、ＲＯＭ（Read  Only  Memory）、フラッシュメモリ（flash  memory）などの半導体メモリ素子、または、ハードディスク、光ディスクなどの記憶装置である。
【００３８】
投稿情報ＤＢ１２ａは、ユーザ端末２０から投稿された情報である投稿情報と、投稿情報を投稿したユーザを一意に識別するためのユーザＩＤと、当該投稿情報が投稿された際のユーザ端末の位置を示す位置情報とを対応付けて記憶する。ここで、図３を用いて、投稿情報について具体的に説明する。図３は、投稿情報の一例を示す図である。図３に示すように、投稿情報ＤＢ１２ａは、投稿情報を一意に識別する投稿ＩＤと、投稿ユーザのユーザＩＤと、投稿された際のユーザ端末２０の緯度経度と地名である位置情報と、投稿の種別を示す投稿種別と、画像を一意に識別する画像識別子と、投稿の内容を示すタグ名とを対応付けて記憶する。なお、これらの情報は、投稿情報管理装置１０が投稿ユーザのユーザ端末２０から投稿情報を受け付けた際に記憶される。
【００３９】
ここで、投稿種別とは、お気に入りのお店や場所について投稿を行う「お気に入りみっけ」のうち、お店に関する投稿であるのか、スポットに関する投稿であるのか、または人に関する投稿であるのかを示す情報である。また、位置情報とは、投稿情報を投稿した際のユーザ端末の緯度経度と、緯度経度に対応する地名とを示す情報である。この経度緯度の情報は、投稿情報の投稿時にユーザ端末２０において取得されたＧＰＳ情報（例えば、何度何分何秒で示される情報）であり、投稿情報管理装置１０は、投稿情報とともにユーザ端末２０からＧＰＳ情報を受信する。また、緯度経度に対応する地名については、後述する投稿情報受信手段１３ａが緯度経度に対応する地名を図示しない地名辞書を参照して登録されている。なお、ここでは、位置情報として、ユーザ端末２０からＧＰＳ情報を受信する例を示したが、これに代えて、ユーザ端末２０を制御する携帯電話網の基地局の所在地を位置情報として用いたり、ユーザ端末２０が無線ＬＡＮアクセスするアクセスポイントの所在地を位置情報として用いたりしてもよく、また、住所、地名、駅名を位置情報として記憶してもよい。
【００４０】
地図情報ＤＢ１２ｂは、地図の画像である地図画像と、地図上の位置を示す位置情報とを対応付けて記憶する。具体的には、地図情報ＤＢ３は、地図画像と、地図上の位置を示す緯度経度の情報とを対応付けて記憶する。なお、緯度経度が指定されて地図情報が取得される場合には、指定された緯度経度を中心とした所定の領域（例えば、経度緯度それぞれ１０秒の領域、東西南北に１００ｍの領域など）の地図情報が取得される。
【００４１】
プロフィール情報ＤＢ１２ｃは、ユーザＩＤと、ユーザの連絡先を含むプロフィール情報とを対応付けて記憶する。ここで、図４を用いて、プロフィール情報について具体的に説明する。図４は、プロフィール情報の一例を示す図である。図４に示すように、プロフィール情報ＤＢ１２ｃは、ユーザＩＤに対応するプロフィール情報として、ニックネームなどの表示名、メールアドレスなどの連絡先、顔写真などの表示画像、ユーザの生年月日、ユーザの性別、ユーザの血液型、ユーザの所在地、ユーザの自己紹介、ユーザの住所などの所属、音楽やスポーツなどの嗜好を各ユーザＩＤについてそれぞれ記憶する。なお、プロフィール情報ＤＢ１２ｃに記憶されるユーザＩＤは、投稿情報ＤＢ１２ａに記憶されるユーザＩＤと同一のものであり、ユーザＩＤによって投稿情報と投稿ユーザのプロフィール情報とが紐付けられる。
【００４２】
友達リストＤＢ１２ｄは、ユーザＩＤと、ユーザによって友だちとして登録されたユーザＩＤである友だちユーザＩＤとを対応付けて記憶する。ここで、図５の例を用いて、友達リストについて具体的に説明する。図５は、友達リストの一例を示す図である。例えば、図５に例示するように、友達リストＤＢ１２ｄは、ユーザＩＤ「００１」に対応する友だちユーザＩＤとして、「０１１」、「０２１」、「０３１」を記憶する。なお、友達リストへの登録は各ユーザからの指示により行われるが、例えば、後述する図８に示すメールフォームでメールを送ることで、宛先ユーザが友達リストに登録される。
【００４３】
制御部１３は、各種の処理手順などを規定したプログラムおよび所要データを格納するための内部メモリを有し、これらによって種々の処理を実行する。例えば、投稿情報受信手段１３ａ、位置情報受信手段１３ｂ、投稿情報選択手段１３ｃ、地図情報取得手段１３ｄ、プロフィール取得手段１３ｅ、投稿地図生成手段１３ｆ、投稿地図送信手段１３ｇ、およびプロフィール送信手段１３ｈを備える。なお、制御部１３は、ＣＰＵ（Central  Processing  Unit）である。
【００４４】
投稿情報受信手段１３ａは、ユーザ端末２０から投稿情報を受信し、受信した投稿情報を投稿情報ＤＢ１２ａに格納する。具体的には、投稿情報受信手段１３ａは、ユーザ端末２０から投稿情報として、投稿ユーザのユーザＩＤと、投稿された際のユーザ端末２０の緯度経度と、投稿ユーザが指定した投稿種別と、投稿ユーザが投稿画像として指定した画像の画像識別子と、投稿ユーザが指定したタグ名とを受信した場合には、受信した投稿情報に投稿ＩＤを付与して投稿情報ＤＢ１２ａに格納する。ここで、投稿情報受信手段１３ａは、緯度経度と地名との対応関係を記憶する地名辞書（図示は省略する）を参照して、ユーザ端末２０の緯度経度に対応する地名を取得し、ユーザ端末２０の緯度経度とともに地名を投稿情報ＤＢ１２ａに格納する。
【００４５】
ここで、図６の例を用いて、ユーザ端末２０が投稿する際の投稿画面について詳しく説明する。図６は、投稿する際の画像の一例を示す図である。同図に示すように、投稿を行う際には、ユーザ端末２０のディスプレイにおいて、「現在位置をチェック」、「お気に入りみっけ」の２つのボタンが表示される。ここで、ディスプレイ上の「現在位置をチェック」がタップされた場合には、投稿情報管理装置１０は、ユーザ端末２０において、地図画像とともに、ユーザ端末２０の位置を地図上に表示する。
【００４６】
また、「お気に入りみっけ」がタップされた場合には、ユーザ端末２０は、投稿種別を選択させる画面に遷移し、店に関する投稿、スポットに関する投稿、または人に関する投稿のいずれであるかの選択を受け付ける。なお、このような選択を行わなくともよく、投稿情報ＤＢ１２ａに記憶される投稿情報の項目に投稿種別がなくともよい。その後、ユーザ端末２０は、画像の添付やタグを設定する画面に遷移させ、ユーザによって画像の添付やタグの設定が行われた後に、投稿ユーザのユーザＩＤと、投稿された際のユーザ端末の緯度経度と、投稿種別「お気に入りみっけ」と、投稿画像に載せる画像の画像識別子を投稿情報管理装置１０に送信する。これらの投稿情報等が、上述した投稿情報ＤＢ１２ａに格納される。
【００４７】
位置情報受信手段１３ｂは、投稿情報の閲覧を要求するユーザ端末２０から、位置を示す位置情報を受信する。具体的には、位置情報受信手段１３ｂは、投稿情報の閲覧を要求するユーザ端末２０から位置情報として、例えば、閲覧ユーザが任意に指定した緯度経度の情報を受信する。例えば、閲覧ユーザが日本国内もしくは世界における任意の地図情報を閲覧する場合と同様の要領で、閲覧ユーザは任意の位置情報（例えば、住所、地名、駅名、地図上の所定地点など）を指定する。そして、位置情報受信手段１３ｂは、位置情報として、ユーザ端末２０が指定した位置情報を投稿情報選択手段１３ｃおよび地図情報取得手段１３ｄに通知する。なお、ユーザ端末２０から位置情報として住所、地名、駅名、を受け付けた場合には、該当する緯度経度の情報に変換して通知する。なお、緯度経度に変換せずに、住所、地名、駅名をそのまま投稿情報選択手段１３ｃおよび地図情報取得手段１３ｄに通知してもよい。
【００４８】
投稿情報選択手段１３ｃは、位置情報受信手段１３ｂによって受信された位置情報に対応する投稿情報およびユーザＩＤを投稿情報ＤＢ１２ａから選択する。具体的には、投稿情報選択手段１３ｃは、位置情報受信手段１３ｂからユーザ端末２０が指定する緯度経度を受信すると、指定した緯度経度と投稿情報ＤＢ１２ａに記憶された各投稿情報の位置情報とを比較し、緯度経度の差分が所定の閾値以内の投稿情報を投稿情報ＤＢ１２ａから検索する。この結果、投稿情報選択部１３ｃは、緯度経度の差分が所定の閾値以内である投稿情報を選択し、プロフィール取得手段１３ｅに通知する。なお、投稿情報選択手段１３ｃは、位置情報として、緯度経度ではなく、住所、地名、駅名をそのまま受信した場合も同様に、投稿情報ＤＢ１２ａに記憶された位置情報（例えば、住所、地名または駅名など）と比較し、投稿情報を投稿情報ＤＢ１２ａから検索する。例えば、投稿情報選択手段１３ｃは、地名「麻布十番」を受信すると、投稿情報ＤＢ１２ａに記憶された位置情報のなかから地名「麻布十番」が一致する投稿情報を検索し、一致する投稿情報を選択してプロフィール取得手段１３ｅに通知する。
【００４９】
ここで、緯度経度の差分の算出について具体例を用いて説明する。ここでは、緯度の差分閾値として「１０秒」、経度の差分閾値として「７秒」が予め設定されており、投稿情報選択手段１３ｃが、ユーザ端末２０の位置情報として、緯度「Ｘ１度Ｘ１分０１秒」、経度「Ｙ１度Ｙ１分０１秒」を受信し、投稿情報ＤＢ１２ａに記憶された位置情報として、緯度「「Ｘ１度Ｘ１分１０秒」」、経度「Ｙ１度Ｙ１分０９秒」を読み出し、両者の位置情報を比較する場合について説明する。まず、投稿情報選択手段１３ｃは、緯度同士を比較し、差分「８秒」を算出する。また、投稿情報選択手段１３ｃは、経度同士を比較し、差分「９秒」を算出する。この結果、投稿情報選択手段１３ｃは、両差分がそれぞれの差分閾値以内であるか判定し、両差分が差分閾値以内であれば、その位置情報に対応する投稿情報を選択する。上記の例では、緯度同士の差分「９秒」で緯度の差分閾値「１０秒」以内であるが、経度同士の差分「８秒」で緯度の差分閾値「７秒」以内でないので、その位置情報に対応する投稿情報は選択されない。
【００５０】
地図情報取得手段１３ｄは、位置情報受信手段１３ｂによって指定された位置情報に対応する地図画像を地図情報ＤＢ１２ｂから取得する。具体的には、地図情報取得手段１３ｄは、位置情報受信手段１３ｂからユーザ端末２０が指定する緯度経度を受信すると、指定した緯度経度の地点を中心として所定の領域で区切られた地図画像を地図情報ＤＢ１２ｂから取得し、投稿地図生成手段１３ｆに通知する。なお、「所定の領域」は、上記した投稿情報選択手段１３ｃによる投稿情報選択に用いた「所定の領域」に対応する。なお、地図情報取得手段１３ｄは、位置情報として、緯度経度ではなく、住所、地名、駅名をそのまま受信した場合も同様に、住所、地名、駅名に該当する地図画像を地図情報ＤＢ１２ｂから取得し、投稿地図生成手段１３ｆに通知する。
【００５１】
プロフィール取得手段１３ｅは、投稿情報選択手段１３ｃによって選択されたユーザＩＤに対応するユーザのプロフィール情報をプロフィール情報ＤＢ１２ｃから取得する。具体的には、プロフィール取得手段１３ｅは、投稿情報選択手段１３ｃから投稿情報を受信すると、投稿情報に含まれるユーザＩＤと同一のユーザＩＤのプロフィール情報を取得し、プロフィール送信手段１３ｈに通知する。
【００５２】
投稿地図生成手段１３ｆは、地図情報取得手段１３ｄによって取得された地図画像に、投稿情報が付加された画像である投稿地図画像を生成する。具体的には、投稿地図生成手段１３ｆは、投稿情報受信手段１３ｂから投稿情報を受信し、地図情報取得手段１３ｄから地図画像を受信する。そして、投稿地図生成手段１３ｆは、投稿情報に含まれる緯度経度から地図画像上における投稿された位置を特定し、特定された地図画像上の位置に投稿情報を示すアイコン（例えば、ハート型のアイコン）を付加して投稿地図画像を生成する。ここで、投稿地図生成手段１３ｆは、アイコンに対して、投稿情報の詳細な内容を表示する画像に遷移させるリンク情報を埋め込む。
【００５３】
また、投稿地図生成手段１３ｆは、投稿種別や投稿画像などの投稿情報の詳細な内容とともに、プロフィール情報を表示する画像に遷移するリンク情報が埋め込まれたアイコン（例えば、人型のアイコン）を表示する投稿詳細画像を生成する。そして、投稿地図生成手段１３ｆは、投稿地図画像および投稿詳細画像を投稿地図送信手段１３ｇに通知する。
【００５４】
投稿地図送信手段１３ｇは、投稿地図生成手段１３ｆによって生成された投稿地図画像を投稿情報の閲覧を要求するユーザ端末２０に送信する。具体的には、投稿地図送信手段１３ｇは、投稿地図生成手段１３ｆから投稿地図画像および投稿詳細画像を受信し、投稿情報の閲覧を要求するユーザ端末２０に送信する。
【００５５】
プロフィール送信手段１３ｈは、投稿地図送信手段１３ｇによって送信された投稿地図画像上の所定の投稿情報がユーザ端末２０によって指定された場合には、投稿情報を投稿したユーザのプロフィール情報をユーザ端末２０に送信する。例えば、ユーザ端末２０において、プロフィール情報を表示する画像に遷移するリンク情報が埋め込まれたアイコンがタップされると、ユーザ端末２０からプロフィール送信手段１３ｈに対して、プロフィール情報の要求とともに、投稿情報を投稿したユーザのＩＤが送信される。そして、プロフィール送信手段１３ｈは、プロフィール情報の要求およびユーザＩＤを受信すると、ユーザＩＤに対応するプロフィール情報をユーザ端末２０に送信する。
【００５６】
ここで、図７を用いて、閲覧ユーザのユーザ端末２０の画面遷移の一例を説明する。図７は、ユーザ端末の画面遷移の一例を説明する図である。図７の左側の図に例示するように、ユーザ端末２０のディスプレイにおいて、投稿地図画像が表示されている。図７に例示する投稿地図画像では、画面左上に「お気に入りみっけを表示」と表示され、また、地図上にハートマークが５つ表示されている。「お気に入りみっけを表示」とは、投稿情報を投稿したユーザが気に入ったお店やスポットについて投稿した画像を表示していることを示している。
【００５７】
また、投稿地図画像におけるハートのアイコンがユーザにタップされると、図７の中央の図に示すように、投稿された内容とともに投稿ユーザのプロフィールを要求するアイコンが表示される投稿詳細画像に遷移する。図７に例示する投稿詳細画像では、投稿種別「お気に入りみっけ」、食べ物の投稿画像、タグ名「うまいもの」、閲覧ユーザが投稿情報を良いと思った場合にタップする「よいですね！」ボタン、およびプロフィール情報を表示する画像に遷移する人型のアイコンが表示されている。
【００５８】
また、投稿詳細画像における人型のアイコンがユーザにタップされると、図７の右側の図に示すように、プロフィール情報の一部が表示されるプロフィール画像に遷移する。図８に例示するプロフィール画像では、年齢「２５歳」、性別「女性」、住所「東京都在住」、写真があることを示す「写真あり」と、写真を表示する画面に遷移させるためのカメラのアイコン、自己紹介文、詳しいプロフィールを表示する画面に遷移させるための「詳しいプロフィール」ボタンが表示されている。
【００５９】
また、図示していないが、詳しいプロフィールを表示する画面がタップされると、詳細なプロフィールが表示される画面に遷移する。かかる詳細なプロフィールが表示された画面には、メールアドレスなどの連絡先も表示され、メールアドレスがタップされると、投稿ユーザのメールアドレスを宛先としたメールフォームが表示される。例えば、図８の例では、投稿ユーザのメールアドレスとして、「ａｂｃｄｅ＠ａｂｃ．ｃｏ．ｊｐ」が宛先に設定されたメールフォームが表示されている。図８は、メールフォームの表示例を示す図である。ここで、閲覧ユーザが投稿ユーザにメールを送った場合には、投稿ユーザが閲覧ユーザの友達リストＤＢ１２ｄに登録される。
【００６０】
ここで、閲覧ユーザから投稿ユーザにメールが送信された場合に、メールを受信した投稿ユーザのユーザ端末２０の画面表示例について、図９を用いて説明する。図９の左側の図に示すように、受信したメールの一覧が表示される。図９の例では、投稿ユーザのユーザ端末２０は、メールを３件受信しており、各メールについて、メールを受信した日付と送信元のユーザ名とが表示されている。メールを受信した日付または送信元のユーザ名をタップする事で、図９の右側の図に示すように、年齢「２５歳」、性別「男性」、住所「東京都在住」、写真があることを示す「写真あり」と、写真を表示する画面に遷移させるためのカメラのアイコン、メール本文、詳しいプロフィールを表示する画面に遷移させるための「詳しいプロフィール」ボタンが表示される。
【００６１】
このように、投稿情報管理装置１０は、投稿ユーザの実際の行動である位置に対応付けて投稿情報を地図上に表示させ、閲覧ユーザに投稿情報とともに投稿ユーザのプロフィールを提示することで、現実世界でのユーザの行動に関係のある投稿情報に関連付けてユーザのプロフィールを提示する。したがって、現実世界でのユーザの行動に関連付けてユーザのプロフィールを提示することができ、ユーザにとって興味の対象である場所や結びつきのある場所を介して他のユーザとのマッチング機会を提供することができる。その結果、ユーザ同士のコミュニケーションを活性化させることができる。
【００６２】
［投稿情報管理装置による処理］
次に、図１０を用いて、実施例１に係る投稿情報管理装置１０による処理を説明する。図１０は、図２に示す投稿情報管理装置の処理手順を示すフローチャートである。
【００６３】
図１０に示すように、投稿情報管理装置１０の位置情報受信手段１３ｂが投稿情報の閲覧を要求するユーザ端末２０から位置を示す位置情報を受信すると（ステップＳ１０１肯定）、投稿情報選択手段１３ｃは、位置情報受信手段１３ｂによって受信された位置情報に対応する投稿情報およびユーザＩＤを投稿情報ＤＢ１２ａから選択する（ステップＳ１０２）。具体的には、投稿情報選択手段１３ｃは、位置情報受信手段１３ｂからユーザ端末２０が指定する緯度経度を受信すると、指定した緯度経度と投稿情報ＤＢ１２ａに記憶された各投稿情報の位置情報とを比較し、緯度経度の差分が所定の閾値以内の投稿情報を投稿情報ＤＢ１２ａから検索する。この結果、投稿情報選択部１３ｃは、緯度経度の差分が所定の閾値以内である投稿情報を選択する。
【００６４】
そして、地図情報取得手段１３ｄは、位置情報受信手段１３ｂによって受信された位置情報に対応する地図画像を地図情報ＤＢ１２ｂから取得する（ステップＳ１０３）。具体的には、地図情報取得手段１３ｄは、位置情報受信手段１３ｂからユーザ端末２０が指定する緯度経度を受信すると、指定した緯度経度の地点を中心として所定の領域で区切られた地図画像を地図情報ＤＢ１２ｂから取得する。続いて、プロフィール取得手段１３ｅは、投稿情報選択手段１３ｃによって選択されたユーザＩＤに対応するユーザのプロフィール情報をプロフィール情報ＤＢ１２ｃから取得する（ステップＳ１０４）。具体的には、プロフィール取得手段１３ｅは、投稿情報選択手段１３ｃから投稿情報を受信すると、投稿情報に含まれるユーザＩＤと同一のユーザＩＤのプロフィール情報を取得する。
【００６５】
そして、投稿地図生成手段１３ｆは、地図情報取得手段１３ｄによって取得された地図画像に、投稿情報が付加された画像である投稿地図画像を生成する（ステップＳ１０５）。具体的には、投稿地図生成手段１３ｆは、投稿情報に含まれる緯度経度から地図画像上における投稿された位置を特定し、特定された地図画像上の位置に投稿情報を示すアイコン（例えば、ハート型のアイコン）を付加して投稿地図画像を生成する。続いて、投稿地図送信手段１３ｇは、投稿地図生成手段１３ｆによって生成された投稿地図画像を投稿情報の閲覧を要求するユーザ端末２０に送信する（ステップＳ１０６）。具体的には、投稿地図送信手段１３ｇは、投稿地図生成手段１３ｆから投稿地図画像および投稿詳細画像を受信し、投稿情報の閲覧を要求するユーザ端末２０に送信する。
【００６６】
その後、プロフィール送信手段１３ｈは、ユーザ端末２０からプロフィール情報の要求を受信したか判定し（ステップＳ１０７）、ユーザ端末２０からプロフィール情報の要求を受信していないと判定した場合には（ステップＳ１０７否定）、ユーザ端末２０からプロフィール情報の要求を受信したか判定する処理を繰り返す。
【００６７】
また、プロフィール送信手段１３ｈは、ユーザ端末２０からプロフィール情報の要求を受信したと判定した場合には（ステップＳ１０７肯定）、投稿情報を投稿したユーザのプロフィール情報をユーザ端末２０に送信する（ステップＳ１０８）。具体的には、プロフィール送信手段１３ｈは、投稿地図送信手段１３ｇによって送信された投稿地図画像上の所定の投稿情報がユーザ端末２０によって指定された場合には、投稿情報を投稿したユーザのプロフィール情報をユーザ端末２０に送信する。
【００６８】
[実施例１の効果]
以上のように実施例１に係る投稿情報管理装置１０は、投稿ユーザが実際に行動した位置に対応付けて投稿情報を地図上に表示させ、閲覧ユーザに投稿情報とともに投稿ユーザのプロフィールを提示するので、現実世界でのユーザの行動に関連付けてユーザのプロフィールを提示することができる。したがって、ユーザにとって興味の対象である場所や結びつきのある場所を介して他のユーザとのマッチング機会を提供することができる。その結果、機械的にマッチングの提案を受けるような場合と比べて、コミュニケーションに対するモチベーションの向上を図ることができ、ユーザ同士のコミュニケーションを活性化させることができる。
【００６９】
また、実施例１に係る投稿情報管理装置１０は、閲覧ユーザのユーザ端末２０から任意に指定された位置情報を受信し、任意に指定された位置情報に対応する投稿情報を提示するので、任意に指定した場所に投稿ユーザが現実に訪れたことを閲覧ユーザに認識させることができる。なお、実施例１では、位置情報に基づいて投稿情報を選択する場合を説明したが、位置情報に加えて、投稿情報に紐付けられている投稿種別、タグ名、投稿ユーザの属性（プロフィール情報）、投稿時刻なども閲覧ユーザに検索条件として指定させ、検索条件を満たす投稿情報を選択するようにしてもよい。
【実施例２】
【００７０】
また、上述の実施例１おいては、閲覧ユーザが任意に指定した場所の投稿情報を表示する場合を説明したが、閲覧ユーザが現在居る場所の投稿情報のみを表示するようにしてもよい。そこで、以下では、閲覧ユーザが現在居る場所の投稿情報のみを表示する場合として、図１１を用いて、実施例２にかかる投稿情報管理装置の処理について説明する。図１１は、閲覧ユーザの現在地に応じて、投稿地図画像を表示する例を説明する図である。
【００７１】
まず、投稿情報管理装置１０は、閲覧ユーザのユーザ端末２０から現在位置の位置情報を受信する。例えば、図１１の例では、投稿情報管理装置１０は、閲覧ユーザのユーザ端末２０から現在位置の位置情報として、緯度「３５．３９．１４」、経度「１３９．４４．５９」を受信する。なお、ここでは、位置情報として、ユーザ端末２０からＧＰＳ情報を受信する例を示したが、これに代えて、ユーザ端末２０を制御する携帯電話網の基地局の所在地を位置情報として用いたり、ユーザ端末２０が無線ＬＡＮアクセスするアクセスポイントの所在地を位置情報として用いたりしてもよい。このような所在地を受信した場合には、投稿情報管理装置１０は、所在地の情報を緯度経度に変換して以降の処理を行う。ここで説明した位置情報の例については、後述する実施例でも同様に適用することができる。なお、上述した実施例１と同様に、所在地の情報を経度緯度に変換せずに、住所、地名、駅名などをそのまま用いて以降の処理を行うようにしてもよい。
【００７２】
そして、投稿情報管理装置１０は、ユーザ端末２０の現在の位置情報に対応する投稿情報およびユーザＩＤを投稿情報ＤＢ１２ａから選択する。例えば、図１１の例では、緯度「３５．３９．１４」との差分が所定の閾値以内の緯度であって、且つ、経度「１３９．４４．５９」との差分が所定の閾値以内の経度である位置情報の投稿情報を検索し、投稿ＩＤ「２」の投稿情報を選択する。
【００７３】
そして、投稿情報管理装置１０は、投稿ＩＤ「２」の投稿情報が付加された投稿地図画像を生成し、閲覧ユーザのユーザ端末２０に送信する。例えば、投稿情報管理装置１０は、図１１に示すように、地図画像に投稿情報を付加し、かつ、地図画像にユーザ端末２０の現在地のマーク（例えば、星印）を付加した投稿地図画像を生成し、閲覧ユーザのユーザ端末２０に送信する。
【００７４】
ここで、ユーザ端末２０のディスプレイに表示される投稿地図画像について具体的に説明する。図１１に示すように、ユーザ端末２０のディスプレイにおいて、画面左上に「お気に入りみっけを表示」と表示され、また、地図上にハートマークが５つ表示されている。また、地図上に表示された星印は、閲覧ユーザのユーザ端末２０の現在位置を示すものである。
【００７５】
その後、投稿地図画像におけるハートのアイコンがユーザにタップされると、図１１に示すように、投稿された内容とともに投稿ユーザのプロフィールを要求するアイコンが表示される投稿詳細画像に遷移する。図１１に例示する投稿詳細画像では、食べ物の投稿画像、タグ名「うまいもの」、「よいですね！」ボタン、人型のアイコンからなる投稿情報とともに、閲覧ユーザ端末の現在位置と投稿情報の投稿位置との距離を示す「現在地から３００ｍ先です」を表示する。
【００７６】
このように、実施例２に係る投稿情報管理装置１０は、閲覧ユーザの現在位置に対応する投稿地図画像のみを提示するので、閲覧ユーザが現在いる場所と同一の場所に訪れた投稿ユーザの存在を閲覧ユーザに認識させることができ、ユーザが現実に行動している場所を介して他のユーザとのマッチング機会を提供することができる。その結果、現実の行動に密着したユーザ同士のコミュニケーションの構築を支援し、より現実の感覚に近いものとして活性化させることができる。また、閲覧ユーザが現在いない場所の投稿情報は表示されず、閲覧ユーザは実際の場所に行かないと投稿情報を得られない結果、投稿情報の希少価値を高めることができる。
【実施例３】
【００７７】
また、上述の実施例１おいては、閲覧ユーザが任意に指定した場所の投稿情報を表示する場合を説明したが、閲覧ユーザが過去に居た場所の投稿情報のみが表示され、閲覧ユーザが過去に実際に行動した場所に限って投稿情報を得ることができるようにしてもよい。そこで、以下では、閲覧ユーザが過去に居た場所の投稿情報のみを表示する場合として、図１２を用いて、実施例３にかかる投稿情報管理装置の処理について説明する。図１２は、閲覧ユーザの履歴情報に応じて、投稿地図画像を表示する例を説明する図である。
【００７８】
例えば、ユーザ端末２０には、所定の時間ごとにユーザ端末２０の位置情報が履歴情報として記憶される。そして、閲覧ユーザのユーザ端末２０が投稿情報管理装置１０にアクセスすると、投稿情報管理装置１０は、履歴情報をユーザ端末２０から取得し、図１２に示すように、ユーザ端末２０に、過去の位置情報である履歴情報を表示させ、履歴情報の中から一つ位置情報（緯度経度）の選択を受け付ける。そして、ユーザ端末２０は、閲覧ユーザによって選択された位置情報を投稿情報管理装置１０に送信する。続いて、投稿情報管理装置１０は、ユーザ端末２０の過去の位置情報を受信する。例えば、図１２の例では、投稿情報管理装置１０は、閲覧ユーザのユーザ端末２０から過去の位置情報として、横浜（具体的には、閲覧ユーザが横浜に居た時に記憶された経度緯度の情報）を受信する。
【００７９】
そして、投稿情報管理装置１０は、ユーザ端末２０の過去の位置情報に対応する投稿情報およびユーザＩＤを投稿情報ＤＢ１２ａから選択する。例えば、図１２の例では、ユーザ端末２０で選択された緯度「Ｘ１０」の差分が所定の閾値以内の緯度であって、且つ、経度「Ｙ１０」との差分が所定の閾値以内の経度である位置情報の投稿情報を検索し、投稿ＩＤ「４」の投稿情報を選択する。
【００８０】
そして、投稿情報管理装置１０は、投稿ＩＤ「４」の投稿情報が付加された投稿地図画像を生成し、閲覧ユーザのユーザ端末２０に送信する。例えば、投稿情報管理装置１０は、図１２に示すように、地図画像に投稿情報を付加した投稿地図画像を生成し、閲覧ユーザのユーザ端末２０に送信する。
【００８１】
ここで、ユーザ端末２０のディスプレイに表示される投稿地図画像の一例を説明する。図１２に例示するように、ユーザ端末２０のディスプレイにおいて、画面左上に「お気に入りみっけを表示」と表示され、また、地図上にハートマークが５つ表示されている。
【００８２】
その後、投稿地図画像におけるハートのアイコンがユーザにタップされると、図１２に例示するように、投稿された内容とともに投稿ユーザのプロフィールを要求するアイコンが表示される投稿詳細画像に遷移する。図１２に例示する投稿詳細画像では、投稿情報として、夜景の投稿画像、タグ名「オススメスポット」、「よいですね！」ボタン、人型のアイコンを表示する。また、投稿情報管理装置１０は、投稿地図画像の位置に対応する年月日を履歴情報から抽出し、閲覧ユーザのユーザ端末２０が訪れた年月日を示す情報「２０１０年１月１日に訪れました」を投稿詳細画像に追加する。
【００８３】
なお、上述した実施例３の説明では、履歴情報をユーザ端末２０が記憶している場合の例を説明したが、履歴情報を投稿情報管理装置１０が記憶するようにしてもよい。この場合には、投稿情報管理装置１０は、所定の時間ごとにユーザ端末２０の現在位置の位置情報を受信し、履歴情報として所定の記憶部に記憶する。そして、閲覧ユーザのユーザ端末２０が投稿情報管理装置１０にアクセスすると、投稿情報管理装置１０は、自装置に記憶した履歴情報を所定の記憶部から取得し、ユーザ端末２０に、過去の位置情報である履歴情報を表示させる。その後は、上述した説明と同様に、履歴情報の中から一つ位置情報（緯度経度）をユーザに選択させ、投稿情報管理装置１０は、選択された位置情報を受信し、投稿情報等を選択し、投稿情報が付加された投稿地図画像を生成して閲覧ユーザのユーザ端末２０に送信する。
【００８４】
また、上述した実施例３の説明では、ユーザに履歴情報の中から一つの位置情報を選択させる場合の例を説明したが、ユーザが任意に選択した位置情報が履歴情報の位置情報と一致するか判定し、一致する場合にのみ投稿情報を表示するようにしてもよい。この場合には、投稿情報管理装置１０は、所定の時間ごとにユーザ端末２０の現在位置の位置情報を受信し、履歴情報として所定の記憶部に記憶する。そして、投稿情報管理装置１０は、ユーザが任意に選択した位置情報を受信した場合に、受信した位置情報が履歴情報の位置情報と一致するか判定する。判定した結果、受信した位置情報が履歴情報の位置情報と一致する場合には、投稿情報管理装置１０は、位置情報に対応する投稿情報等を選択し、投稿情報が付加された投稿地図画像を生成して閲覧ユーザのユーザ端末２０に送信する。一方、判定した結果、受信した位置情報が履歴情報の位置情報と一致しない場合には、投稿情報管理装置１０は、投稿情報のない地図画像を閲覧ユーザのユーザ端末２０に送信する。
【００８５】
このように、実施例３に係る投稿情報管理装置１０は、閲覧ユーザが過去に居た場所に対応する投稿情報のみを提示するので、閲覧ユーザが過去にいたことのある場所と同一の場所に訪れた投稿ユーザの存在を閲覧ユーザに認識させることができ、ユーザが実際に過去に行動している場所を介して他のユーザとのマッチング機会を提供することができる。その結果、ユーザ同士のコミュニケーションの構築を支援し、より現実の感覚に近いものとして活性化させることができる。また、閲覧ユーザが過去にいなかった場所の投稿情報は表示されず、閲覧ユーザは実際の場所に行かないと投稿情報を得られない結果、投稿情報の希少価値を高めることができる。
【実施例４】
【００８６】
また、上述の実施例１おいては、閲覧ユーザが任意に指定した場所の投稿情報を表示する場合を説明したが、閲覧ユーザが将来居る予定の場所の投稿情報のみが表示され、閲覧ユーザは今後訪れる予定のある場所でなければ投稿情報を得られないようにしてもよい。そこで、以下では、閲覧ユーザが将来居る予定の場所の投稿情報のみを表示する場合として、図１３を用いて、実施例４にかかる投稿情報管理装置の処理について説明する。図１３は、閲覧ユーザのスケジュール情報に応じて、投稿地図画像を表示する例を説明する図である。
【００８７】
例えば、ユーザ端末２０には、位置情報を含むユーザのスケジュール情報が記憶される。そして、閲覧ユーザのユーザ端末２０が投稿情報管理装置１０にアクセスすると、投稿情報管理装置１０は、スケジュール情報をユーザ端末２０から取得し、図１３に示すように、ユーザ端末２０に、位置情報を含むユーザのスケジュール情報を表示させ、スケジュール情報の中から一つ位置情報（地名）の選択を受け付ける。そして、ユーザ端末２０は、閲覧ユーザによって選択された位置情報を投稿情報管理装置１０に送信する。続いて、投稿情報管理装置１０は、ユーザ端末２０から位置情報を受信する。例えば、図１３の例では、投稿情報管理装置１０は、閲覧ユーザのユーザ端末２０から位置情報として、地名「赤坂」を受信する。
【００８８】
そして、投稿情報管理装置１０は、ユーザ端末２０の将来の位置情報に対応する投稿情報およびユーザＩＤを投稿情報ＤＢ１２ａから選択する。例えば、図１３の例では、地名「赤坂」と同一の地名「赤坂」の投稿情報を検索し、投稿ＩＤ「５」の投稿情報を選択する。なお、ここでは、ユーザ端末２０において「地名」を指定させ、「地名」によって投稿情報を選択する場合を説明したが、投稿情報管理装置１０は、ユーザ端末２０で指定された「地名」を経度緯度の情報に変換して、投稿情報を選択してもよい。
【００８９】
そして、投稿情報管理装置１０は、投稿ＩＤ「５」の投稿情報が付加された投稿地図画像を生成し、閲覧ユーザのユーザ端末２０に送信する。例えば、投稿情報管理装置１０は、図１３に示すように、地図画像に投稿情報を付加した投稿地図画像を生成し、閲覧ユーザのユーザ端末２０に送信する。
【００９０】
ここで、ユーザ端末２０のディスプレイに表示される投稿地図画像の一例を説明する。図１３に例示するように、ユーザ端末２０のディスプレイにおいて、画面左上に「お気に入りみっけを表示」と表示され、また、地図上にハートマークが５つ表示されている。
【００９１】
その後、投稿地図画像におけるハートのアイコンがユーザにタップされると、図１３に例示するように、投稿された内容とともに投稿ユーザのプロフィールを要求するアイコンが表示される投稿詳細画像に遷移する。図１３に例示する投稿詳細画像では、食べ物の投稿画像、タグ名「うまいもの」、「よいですね！」ボタン、人型のアイコンを表示する。また、投稿情報管理装置１０は、投稿地図画像の位置に対応する年月日をスケジュール情報から抽出し、閲覧ユーザのユーザ端末２０が訪れる予定の年月日を示す「２０１２年１月１日に訪れる予定です」を投稿詳細画像に追加する。
【００９２】
このように、実施例４に係る投稿情報管理装置１０は、閲覧ユーザが行く予定の場所に対応する投稿地図画像のみを提示するので、閲覧ユーザが今後訪れることを予定している場所と同一の場所に訪れた投稿ユーザの存在を閲覧ユーザに認識させることができ、ユーザが行動を予定している場所を介して他のユーザとのマッチング機会を提供することができる。その結果、ユーザ同士のコミュニケーションの構築を支援し、より現実の感覚に近いものとして活性化させることができる。また、閲覧ユーザが将来行く場所の投稿情報しか表示されず、今後訪れる予定のある場所でないと投稿情報を得られない結果、投稿情報の希少価値を高めることができる。
【実施例５】
【００９３】
ところで、投稿情報管理装置１０は、投稿情報を投稿した時間帯と閲覧ユーザが閲覧を要求した時間帯とが同じ場合にのみ投稿情報を提示するようにしてもよい。そこで、以下では、閲覧ユーザが閲覧を要求した時間帯を考慮して投稿情報を表示する場合として、図１４を用いて、実施例５にかかる投稿情報管理装置の処理について説明する。図１４は、投稿時刻を含む投稿情報の一例を示す図である。
【００９４】
投稿情報管理装置１０の投稿情報ＤＢ１２ａは、投稿情報と、ユーザＩＤと、位置情報とともに、投稿情報が投稿された時間情報を対応付けて記憶する。例えば、投稿情報ＤＢ１２ａは、図１４に例示するように、投稿ＩＤ、ユーザＩＤ、位置情報、投稿種別、画像識別子、およびタグ名を記憶するとともに、投稿情報が投稿された時刻を示す投稿時刻を記憶する。
【００９５】
そして、投稿情報管理装置１０の位置情報受信手段１３ｂは、位置情報とともに、時間を示す時間情報を閲覧ユーザのユーザ端末２０から受信する。ここで時間情報とは、ユーザ端末２０においてユーザが閲覧要求を行った現在時刻である。なお、現在時刻に限らず、過去の位置情報（上記の履歴情報）に対応付けられた時刻情報や、未来の位置情報（上記のスケジュール情報）に対応付けられた時刻情報を、これらの位置情報とともにユーザ端末２０から受信して、投稿情報を選択してもよい。
【００９６】
そして、投稿情報管理装置１０の投稿情報選択手段１３ｃは、受信された位置情報および時間情報に対応する投稿情報およびユーザＩＤを投稿情報ＤＢ１２ａから選択する。例えば、投稿情報選択手段１３ｃは、ユーザ端末２０からの閲覧要求を受信した時間が「２０：００：００」であった場合には、その時間の前後一時間である「１９：００：００〜２１：００：００」に投稿された投稿情報のみを選択する。
【００９７】
このように、実施例５に係る投稿情報管理装置１０は、例えば、閲覧ユーザが閲覧を要求した時間帯と同じ時間帯に投稿された投稿情報を提示するので、閲覧ユーザが訪れた場所と同一の場所であって、さらに、閲覧ユーザが訪れた時間と同一の時間に訪れた投稿ユーザの存在を閲覧ユーザに認識させることができ、ユーザが行動した場所及び時間を介して他のユーザとのマッチング機会を提供することができる。その結果、ユーザ同士のコミュニケーションの構築を支援し、より現実の感覚に近いものとして活性化させることができる。また、例えば、閲覧ユーザが閲覧する時間帯と合わない投稿情報は表示されず、閲覧ユーザは投稿ユーザと時間帯が合わなければ投稿情報を得られない結果、投稿情報の希少価値を高めることができる。
【実施例６】
【００９８】
ところで、投稿情報管理装置１０は、閲覧ユーザのプロフィール情報に含まれる住所、勤務地及び出身地のいずれか一つまたは複数と地図上の位置との結びつきの強さに応じて表示する投稿地図画像が変化するようにしてもよい。そこで、以下では、閲覧ユーザと地図上の位置との結びつきの強さに応じて表示する投稿地図画像が変化する場合として、図１５を用いて、実施例６にかかる投稿情報管理装置の処理について説明する。図１５は、閲覧ユーザのプロフィール情報に含まれる住所、勤務地及び出身地のいずれか一つまたは複数と地図上の位置との結びつきの強さに応じて表示する投稿地図画像が変化する例を示す図である。
【００９９】
投稿情報管理装置１０の投稿情報選択手段１３ｃは、閲覧ユーザのユーザ端末２０から受信された位置情報と閲覧ユーザとの関係に応じて、位置情報に対応する投稿情報およびユーザＩＤを投稿情報ＤＢ１２ａから選択する。例えば、投稿情報選択手段１３ｃは、閲覧ユーザのユーザ端末２０から受信された位置情報と閲覧ユーザとの関係の度合いを算出する。関係の度合いの算出に際しては、例えば、閲覧ユーザのプロフィール情報（プロフィール情報ＤＢ１２Ｃに記憶された住所、勤務地、出身地などの位置情報）を用いる。
【０１００】
より詳細には、ユーザ端末２０から受信された位置情報と、閲覧ユーザの住所、勤務地、出身地などの位置情報とを比較して、両者の距離が近いほど大きな関係度を算出する。なお、比較する位置情報としては、閲覧ユーザのプロフィール情報に限定されず、閲覧ユーザの友達リストＤＢ１２ｄに登録されている友達の住所、勤務地、出身地などの位置情報を用いてもよい。つまり、閲覧ユーザが指定した位置情報と、友達の住所、勤務地、出身地とが近い場合も、大きな関係度を算出する。そして、投稿情報選択手段１３ｃは、関係の度合いが大きいほど多くの投稿情報を（古くに投稿された投稿情報も）選択し、関係の度合いが小さいほど少数の投稿情報（新しく投稿された投稿情報だけ）を選択するようにする。
【０１０１】
これにより、投稿情報選択手段１３ｃは、例えば、位置情報が閲覧ユーザの通勤路であって結びつきが強い場合には、投稿情報を多く選択し、一方、位置情報が閲覧ユーザの通勤路などではなく結びつきが弱い場合には、投稿情報を少なく選択する。
【０１０２】
例えば、図１５に示すように、ユーザＡとユーザＢがそれぞれ同一の場所について投稿情報を要求した場合について説明する。図１５は、閲覧ユーザと地図上の位置との結びつきの強さに応じて表示する投稿地図画像が変化する例を示す図である。ここで、ユーザＡとユーザＢがそれぞれ同一の場所について投稿情報を要求するが、かかる場所は、ユーザＡにとっては通勤路であり、ユーザＢにとっては一度も行ったことの無い場所であるものとする。このような場合には、図１５に示すように、ユーザＡの投稿地図画像には、５つの投稿情報が表示され、一方、ユーザＢの投稿地図画像には、３つの投稿情報が表示される。これは、ユーザＡの方が、ユーザＢよりも場所との結びつきが強いため、古くに投稿された投稿情報も選択して、投稿地図画像に付加するからである。
【０１０３】
このように、実施例６に係る投稿情報管理装置１０は、例えば、位置情報が閲覧ユーザの通勤路であって結びつきが強い場合には、投稿情報を多く選択し、一方、位置情報が閲覧ユーザの通勤路などではなく結びつきが弱い場合には、投稿情報を少なく選択することで、ユーザ同士のコミュニケーションの活性化に貢献する度合いが高い閲覧ユーザほど投稿情報を多く受信することができ、ユーザ同士のコミュニケーションを活性化させることができる。
【０１０４】
[その他の実施例]
また、上述においては、投稿情報管理装置１０が各ＤＢ１２ａ〜１２ｄを備えている場合を説明したが、各ＤＢ１２ａ〜１２ｄが投稿情報管理装置１０の外部にあってもよい。つまり、ネットワーク上に配置された記憶装置内に各ＤＢ１２ａ〜１２ｄが構築され、投稿情報管理装置１０は、ネットワークを介して各ＤＢ１２ａ〜１２ｄにアクセスするようにしてもよい。
【０１０５】
また、上述で説明した投稿情報管理方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【０１０６】
また、投稿情報管理プログラムに係るプログラムモジュールやプログラムデータは、ハードディスクドライブに記憶される場合に限られず、例えば、着脱可能な記憶媒体に記憶されて、ディスクドライブ等を介してＣＰＵによって読み出されてもよい。あるいは、情報送受信プログラムに係るプログラムモジュールやプログラムデータは、ＬＡＮ（Local  Area  Network）やＷＡＮ（Wide  Area  Network）等のネットワークを介して接続された他のコンピュータに記憶され、ネットワークインタフェースを介してＣＰＵによって読み出されてもよい。
【０１０７】
以上、本発明の実施例のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１０８】
これらの実施例やその変形は、本願が開示する技術に含まれると同様に、特許請求の範囲に記載された発明とその均等の範囲に含まれるものである。
【符号の説明】
【０１０９】
１、１０  投稿情報管理装置
２、１２ａ  投稿情報手段
３、１２ｂ  地図情報手段
４、１２ｃ  プロフィール情報手段
５、２０、２０Ａ〜２０Ｚ  ユーザ端末
１１  通信Ｉ／Ｆ
１２  記憶部
１２ｄ  友達リストＤＢ
１３  制御部
１３ａ  投稿情報受信手段
１３ｂ  位置情報受信手段
１３ｃ  投稿情報選択手段
１３ｄ  地図情報取得手段
１３ｅ  プロフィール取得手段
１３ｆ  投稿地図生成手段
１３ｇ  投稿地図送信手段
１３ｈ  プロフィール送信手段
【図１】
0005231586.tif 000002
【図２】
0005231586.tif 000003
【図３】
0005231586.tif 000004
【図４】
0005231586.tif 000005
【図５】
0005231586.tif 000006
【図６】
0005231586.tif 000007
【図７】
0005231586.tif 000008
【図８】
0005231586.tif 000009
【図９】
0005231586.tif 000010
【図１０】
0005231586.tif 000011
【図１１】
0005231586.tif 000012
【図１２】
0005231586.tif 000013
【図１３】
0005231586.tif 000014
【図１４】
0005231586.tif 000015
【図１５】
0005231586.tif 000016